(57)【特許請求の範囲】
【請求項１】
粘着剤が塗布された基材とその粘着剤を覆う剥離シートとを有した長尺な帯状の被切断シートから所望形状のシート状物品を切り出すための押切手段を備えたシート状物品の押切装置であって、
前記被切断シートを所定長ずつ間欠的に前記押切手段に供給する供給手段と、前記シート状物品を搬送コンベアの搬送面上に移載する移載手段とを備え、
前記押切手段は、前記供給手段によって供給される前記被切断シートを上方と下方から挟んで所望形状に押し切りする上側押切型と下側押切型とからなる上下一対の押切型を有し、
前記上側押切型は、その下面に環状に突出して前記所望形状に形成された切断刃と、当該切断刃の内側に沿って形成されて切断されたシート状物品を上方に排出するための取出口とを有して、フレームに支持されており、
前記下側押切型は、前記上側押切型に対向配置されて昇降駆動機構を介して上下に往復移動可能に設けられ、
前記移載手段は、前記シート状物品を吸着する吸引ノズルと、当該吸引ノズルを支持して当該吸引ノズルの下端を、前記取出口の下端から、当該取出口の上端を経て前記搬送コンベアの搬送面上まで往復移動させる往復平行移動機構とを有する、
ことを特徴とするシート状物品の押切装置。
【請求項２】
請求項１において、前記搬送コンベアにおける前記搬送面の高さは、前記供給手段による前記被切断シートの搬送面よりも上方にあることを特徴とするシート状物品の押切装置。
【請求項３】
請求項１または２において、前記下側押切型には、切断された前記シート状物品を上方に押し上げるリフトアップピンが前記上側押切型の取出口に臨んで設けられていることを特徴とするシート状物品の押切装置
【請求項４】
請求項１〜３のいずれかにおいて、
前記供給手段による前記被切断シートの搬送方向と、前記搬送コンベアによる前記シート状物品の搬送方向は、上流から下流に向かう所定方向であり、
前記搬送コンベアは、前記供給手段の下流側に配置されているとともに、上方から見たときの搬送面の延長方向が、前記供給手段の搬送面の延長方向と直線となるように配置されている、
ことを特徴とするシート状物品の押切装置。
【請求項５】
請求項１〜４のいずれかにおいて、前記取出口の内壁面は、下端から上端に向かって前記搬送コンベア側に傾斜しているとともに、当該傾斜している内壁面以外の内壁面は、前記上側押切型の前記切断刃の突出形状に沿って下端から上端に向かって垂直な壁面を形成している、ことを特徴とするシート状物品の押切装置。
【請求項６】
請求項１〜５のいずれかにおいて、前記往復平行移動機構には平行四辺形リンクが用いられていることを特徴とするシート状物品の押切装置。
【発明の詳細な説明】
【技術分野】
【０００１】
本発明は、粘着剤が塗布された基材とその粘着剤を覆う剥離シートとを有して所定長ずつ間欠的に供給されてくる長尺な帯状の被切断シートから、所望形状のシート状物品を切り出して搬送コンベア上に移載するようにしたシート状物品の押切装置に関するものである。
【背景技術】
【０００２】
狭心症や喘息用の貼り薬等のように、基材フィルムに塗布した粘着剤の表面を剥離フィルムで覆ったシート状物品が多種あるが、このようなシート状物品は一般に長尺な帯状に形成されている被切断シートから矩形等の所望の寸法形状に切り出されるようになっている。
【０００３】
ここで、上記のような被切断シートからシート状物品を所望の寸法形状に切り出して搬送コンベア上に移載する装置として、例えば特開平９−９９９０７号公報に開示されたものが知られている。
【０００４】
この装置は、巻回された原反ロールから引き出した長尺な帯状の被切断シートをロータリーダイカット装置の切断ローラとアンビルローラとの間に導いて、切断ローラに形成されている切断刃によって所望寸法形状のシート状物品を連続的に切り出すようになっており、この切り出した各シート状物品は吸着機能を有したアンビルローラにて吸着保持し、使用済みの被切断シートは廃材として巻き取り軸に巻回して回収している。また、上記アンビルローラに吸着保持したシート状物品は、当該アンビルローラに周面を対向させて並設してある、同じく吸着機能を有した受け渡しドラムに移し替えて、当該受け渡しドラムを介して搬送ベルト上に載置するようになっている。
【０００５】
搬送ベルトは上下一対でなり、下搬送ベルト上に受け渡しドラムを介してシート状物品を所定間隔を空けて載置し、下搬送ベルトの上側には当該下搬送ベルト上に載置したシート状物品に位置ずれが生じるのを防止するために上搬送ベルトを配置して、当該上搬送ベルトでシート状物品を押さえ付けるようにしている。
【特許文献１】特開平９−９９９０７号公報
【発明の開示】
【発明が解決しようとする課題】
【０００６】
しかしながら、上記公報に示される装置では、下搬送ベルトの上方に受け渡しドラムと上搬送ベルトとを配設するため、装置の小型化を図るのが困難で大型化してしまい、設置スペースを広く占有してしまうと言う課題があった。
【０００７】
また、受け渡しドラムから下搬送ベルト上にシート状物品を載置する際に、シート状物品に姿勢や位置ズレが生じてしまうのを防止し難く、姿勢と位置とを高精度に保ちながら高速運転化を図るのが困難であるという課題もあった。
【０００８】
更に、被切断シートが基材フィルムに塗布した粘着剤の表面を剥離フィルムで覆った形態をなす場合に、上記切断ローラとアンビルローラとの間に当該被切断シートを導いて、これより所望寸法形状のシート状物品を切り出すようにすると、切断後にその切断面に露出する粘着剤同士が再度接着してしまうので、シート状物品の切断後に廃材として巻回回収する使用済みの被切断シートから当該シート状物品を分離させてアンビルローラの周面上に吸着保持させる際に、その保持姿勢や位置にズレが生じてしまうこともあった。
【０００９】
また更に、切断ローラとシート状物品送り量との誤差が裁断寸法誤差に直結しやすいという問題や、裁断時に粘着剤が被切断シートの送り方向にのみしごかれ易く、粘着剤（薬剤）量が不均一になり易いという問題もあった。
【００１０】
本発明は、上記した背景に鑑みてなされたものであり、その目的とするところは、粘着剤が塗布された基材とその粘着剤の表面を覆う剥離シートとを有した長尺な帯状の被切断シートから所望形状のシート状物品を切り出して搬送コンベア上に移載するにあたって、そのシート状物品を確実に所定の姿勢と位置に保って搬送コンベア上に移載することができるとともに、装置の小型化と高速運転化とを図り得、かつ裁断寸法誤差が生じにくく、裁断時に粘着剤がしごかれてその塗布量が不均一になってしまうこともない、シート状物品の押切装置を提供することにある。
【課題を解決するための手段】
【００１１】
上記の目的を達成するための本発明は、粘着剤が塗布された基材とその粘着剤を覆う剥離シートとを有した長尺な帯状の被切断シートから所望形状のシート状物品を切り出すためのシート状物品の押切装置であって、
前記シート状物品を搬送コンベアの搬送面上に移載する移載手段と、前記被切断シートを所定長ずつ間欠的に前記押切手段に供給する供給手段とを備え、
前記押切手段は、前記供給手段によって供給される前記被切断シートを上方と下方から挟んで所望形状に押し切りする上側押切型と下側押切型とからなる上下一対の押切型を有し、
前記上側押切型は、その下面に環状に突出して前記所望形状に形成された切断刃と、当該切断刃の内側に沿って形成されて切断されたシート状物品を上方に排出するための取出口とを有して、フレームに支持されており、
前記下側押切型は、前記上側押切型に対向配置されて昇降駆動機構を介して上下に往復移動可能に設けられ、
前記移載手段は、前記シート状物品を吸着する吸引ノズルと、当該吸引ノズルを支持して当該吸引ノズルの下端を、前記取出口の下端から、当該取出口の上端を経て前記搬送コンベアの搬送面上まで往復移動させる往復平行移動機構とを有する、
ことを特徴とする。
【００１２】
また、前記搬送コンベアにおける前記シート状物品の搬送路の路面の高さが、前記供給手段による前記被切断シートの搬送路の路面よりも上方にあればより好ましい。前記下側押切型に、切断された前記シート状物品を上方に押し上げるリフトアップピンが前記上側押切型の取出口に臨んで設けられているシート状物品の押切装置としてもよい。
【００１３】
前記供給手段による前記被切断シートの搬送方向と、前記搬送コンベアによる前記シート状物品の搬送方向は、上流から下流に向かう所定方向であり、前記搬送コンベアは、前記供給手段の下流側に配置されているとともに、上方から見たときの搬送面の延長方向が、前記供給手段の搬送面の延長方向と直線となるように配置されているシート状物品の押切装置としてもよい。
前記取出口の内壁面が、下端から上端に向かって前記搬送コンベア側に傾斜しているとともに、当該傾斜している内壁面以外の内壁面は、前記上側押切型の前記切断刃の突出形状に沿って下端から上端に向かって垂直な壁面を形成しているシート状物品の押切装置とすることもできる。
【００１４】
前記往復平行移動機構には平行四辺形リンクが用いられているシート状物品の押切装置としてもよい。
【発明の効果】
【００１５】
上記構成に係る本発明のシート状物品の押切装置によれば、基材と剥離シートとの間に粘着剤層を有した長尺な帯状の被切断シートから所望寸法形状のシート状物品を切り出して搬送コンベア上に載置するにあたって、その切断面に粘着剤層が露出しても、当該シート状物品の姿勢や位置にズレを生じさせることなく搬送コンベア上に高精度に確実に移載することができる。
【００１６】
また、従来のような受け渡しドラムや上搬送ベルト、並びにロータリーダイカット装置を用いないので、装置自体の可及的な小型化が図れるようになる。
【００１７】
さらに、長尺な帯状の被切断シートを供給手段で所定送り量ずつ間欠的に上下一対の押切型内に送り込み、当該押切型の上側押切型と下側押切型とで挟んで所望形状のシート状物品を切り出すので、裁断寸法誤差が生じにくく、また、裁断時に粘着剤がしごかれてその塗布量が不均一になってしまうこともない。
【００１８】
また、往復平行移動機構に平行四辺形リンクを採用することで、押切装置の高速運転化を可及的に図れるようになる。
【発明を実施するための最良の形態】
【００１９】
以下に、本発明に係るシート状物品の押切装置の実施形態について、添付図面を参照して詳細に説明する。図１は、本発明に係るシート状物品の押切装置の一例を示す平面図であり、図２は図１中のII-II線部の矢視断面図である。また、図３Ａの［I］（ａ），（ｂ）〜［III］（ａ），（ｂ）と図３Ｂの［IV］（ａ），（ｂ）〜［VI］（ａ），（ｂ）はシート状物品の切断から移載までの１サイクルの動作状態を経時的に示したものであり、上記各図における（ｂ）は（ａ）中の押切型部分の拡大図である。
【００２０】
図１と図２とに示すように、この押切装置２は、粘着剤が塗布された基材とその粘着剤を覆って積層された剥離シートとを有した長尺な帯状の被切断シート４から、所望形状のシート状物品ｗを切り出す押切手段６と、当該押切手段６で切断されたシート状物品ｗを下流側の搬送コンベア８上に移載する移載手段１０と、当該押切手段６の上流側に設けられて上記被切断シート４を所定の送り長ずつ間欠的に当該押切手段６に供給する供給手段１２とを備えている。
【００２１】
ここで、当該実施形態にあっては、上記供給手段１２には、吸引式のベルトコンベア１４が用いられており、上記被切断シート４は、図外のロール状に巻回形成されている供給ロールから繰り出されてベルトコンベア１４上に導かれて、当該ベルトコンベア１４の搬送面１４ａに開口されている多数の吸引孔に吸着されながら、所定長ずつ間欠的に送られて、当該ベルトコンベア１４の下流に配置された押切手段６の押切型６２内に向けて挿通供給されるようになっている。
【００２２】
上記押切型６２は、支持フレーム１６に支持されて設けられており、上記ベルトコンベア１４から供給される被切断シート４を上下から挟んで所望形状に押し切りするようになっていて、対をなす上側押切型６２ａと下側押切型６２ｂとを有している。
【００２３】
支持フレーム１６は、被切断シート４の下方に設置された基盤１６１と、当該被切断シート４の送り方向両側に位置して立設されて下部が当該基盤１６１に固定された一対のＵ字状の縦フレーム１６２と、この一対の縦フレーム１６２の上端部の前部側同士と後部側同士とをそれぞれ繋いで、送り方向の前後に一対で設けられた上側クロスフレーム１６３ａ，１６３ｂと、この上側クロスフレーム１６３ａ，１６３ｂと若干の隙間を空けてその下方に対向配設された前後一対の下側クロスフレーム１６４ａ，１６４ｂとを有しており、当該下側クロスフレーム１６４ａ，１６４ｂはその上面の高さが上記供給側のベルトコンベア１４の搬送面１４ａに一致されている。
【００２４】
そして、送り方向の上流側に位置した下側クロスフレーム１６４ａとベルトコンベア１４の搬送終端に位置された終端ローラ１４１との間には、ベルトコンベア１４の搬送面１４ａに高さが一致されて設けられた渡り板１５が配されている。一方、送り方向の下流側に位置した下側クロスフレーム１６４ｂには、シート状物品ｗの押し切り後に廃材となった被切断シート４を、下方に設置されている図外の廃材巻き取りリールに向けて案内するためのガイドローラ１９が設けられている。また、前後の上側クロスフレーム１６３ａ，１６３ｂの両側端部上には、送り方向の前後に延びて掛け渡された補強フレーム１６０が一対で設けられている。
【００２５】
そして、上側押切型６２ａは前後一対の上側クロスフレーム１６３ａ，１６３ｂに支持されて設けられていて、ベルトコンベア１４から供給されてくる被切断シート４の上側に若干の隙間を空けて配されている。ここで、当該上側押切型６２ａには、その下面に環状の切断刃６３が下方に突出して一体形成されており、この環状の切断刃６３はシート状物品ｗの所望形状に相応されている。即ち、当該実施形態では、切断刃６３は矩形を呈した環状に形成されていて、被切断シート４から矩形のシート状物品ｗを切り出すようになっている。
【００２６】
また、上側押切型６２ａには、切断したシート状物品ｗを上方に向けて排出して取り出すための取出口６４が上下に貫通形成されている。この取出口６４の下端部は切断刃６３の内側に沿って開口されており、切断されたシート状物品ｗは当該取出口６４を通じて、後述する移載手段１０によって上方に排出されるようになっている。また、取出口６４は、切断したシート状物品ｗの周縁部の切断面との接触を防止して当該シート状物品ｗの取り出しを容易にするために、上側押切型６２ａの下面から突出形成されている切断刃６３の直上部において、その口径が若干拡大形成されている。さらに、当該取出口６４は、搬送コンベア８に近接した下流側内壁面６４ａがその上部側を搬送方向下流の搬送コンベア８側に向けて傾斜形成されていて、その開口断面積は上部側に向けて漸次拡大形成されている。
【００２７】
一方、下側押切型６２ｂは、上側押切型６２ａに対向配置されて、供給される被切断シート４の下側に設けられている。この下側押切型６２ｂは、平面視で上側押切型６２ａの切断刃６３よりも一回り大きな矩形を呈しており、支持フレーム１６の基盤１６１に取り付けられた昇降駆動機構１６５を介して上下に往復移動可能に設けられていて、その上昇端で上側押切型６２ａの切断刃６３に当接して被切断シート４から矩形のシート状物品ｗを押し切りするようになっている。
【００２８】
ここで、本実施形態における上記昇降駆動機構１６５は上記基盤１６１内に設けられた油圧または空圧作動式のシリンダー１６６からなっており、基盤１６１の上面から出没する作動ロッド１６７の先端に昇降板１６８が取り付けられて形成されている。そして、この昇降板１６８上に、脚部１６９を介して台座１７０が設けられ、この台座１７０の上面に下側押切型６２ｂが一体的に固定されている。
【００２９】
また、下側押切型６２ｂと台座１７０とには、矩形状に押し切りされたシート状物品ｗを上方に押し上げて、上側押切型６２ａの取出口６４内に挿入するリフトアップピン１７１が昇降移動自在に組み込まれて設けられている。このリフトアップピン１７１も油圧または空圧で作動されるようになっており、下側押切型６２ｂと台座１７０とにはリフトアップピン１７１が摺動自在に嵌合挿入されるシリンダ孔１７２が形成されている。そして、リフトアップピン１７１の上端部には、シート状物品ｗとの当接面積を確保するための拡径部１７１ａが形成されていて、この拡径部１７１ａはリフトアップピン１７１の下降時には下側押切型６２ｂの上面に形成された収納凹部６５内に格納されるようになっている。また、支持フレーム１６には、前後一対で配された上記下側クロスフレーム１６４間に、被切断シート４の受け板６６が当該下側クロスフレーム１６４の上面と面一状態で設けられていて、かつ、その受け板６６には下側押切型６２ｂの挿通孔６７が貫通形成されている。
【００３０】
また、支持フレーム１６の下流側には、押し切りされたシート状物ｗを下流の包装装置等に向けて搬送する搬送コンベア８が設けられており、この搬送コンベア８の搬入端を形成する始端ローラ８１は、その軸心の高さが上側押切型６２ａの上面高さにほぼ一致されて、当該上側押切型６２ａに極近接して設置されている。また、この搬送コンベア８も前記供給コンベア１４と同様に吸引式のものが用いられており、移載されたシート状物ｗは搬送コンベア８の搬送面８ａ上に開口されている多数の吸引口に吸着固定されながら下流の搬送終了端に向けて搬送されていく。
【００３１】
そして、この搬送コンベア８の搬入端の一側部には、押切型６２内で押し切りされたシート状物品ｗを上側押切型６２ａの取出口６４を通じて上方に取り出して搬送コンベア８上に移載する移載手段１０が設けられている。この移載手段１０は、切断されたシート状物品ｗを吸着する吸引ノズル１０２と、この吸引ノズル１０２を支持してその吸引ノズル１０２の下端を取出口６４の下端に近接した位置から搬送コンベア８上に往復平行移動させる往復平行移動機構１０４とを有してなり、この実施形態では当該往復平行移動機構１０４には平行四辺形リンクが用いられている。
【００３２】
即ち、図１と図２とに示すように、この往復平行移動機構１０４は搬送コンベア８の架台等（図示せず）に固定された固定支持板１０６と、この固定支持板１０６に一端が回動自在に軸支された一対の等長の揺動アーム１０８ａ，１０８ｂと、これら両揺動アーム１０８ａ，１０８ｂの揺動端に回動自在に取り付けられた可動支持板１１０とからなる。一対の揺動アーム１０８ａ，１０８ｂは固定支持板１０６に対して相互に所定の間隔を空けて取り付けられ、また、両揺動アーム１０８ａ，１０８ｂの揺動端も当該所定間隔と等しい間隔で可動支持板１１０に取り付けられて、これらの４部材によって平行四辺形リンクが形成されている。
【００３３】
そして、一方の揺動アーム１０８ａの固定支持板１０６側の支軸１０９には、所定角度で正逆回転される駆動モータ１１２の回転軸が連結されていて、当該駆動モータ１１２の正逆回転により可動支持板１１０が平行に揺動移動されるようになっている。また、当該可動支持板１１０には、上方に延びて立ち上がる上方延出部分１１０ａと、この上方延出部分１１０ａの上端から搬送方向の後方に向けて斜め上方に延びる斜行延出部１１０ｂと、この斜行延出部１１０ｂの後端からさらに後方に向けてほぼ水平に延びる後方延出部１１０ｃとからなる延出部が一体形成されている。
【００３４】
また、上記後方延出部１１０ｃの延出端には、供給側のコンベア１４から搬送コンベアに至るシート状物品ｗの搬送経路の上方を横断して、その他側方に向けて延びる支持ステー１１４が取り付けられている。そして、この支持ステー１１４には、その搬送経路の中心上の位置に、吸引ノズル１０２が鉛直下方に向けて垂下されて取り付けられている。そして、この吸引ノズル１０２は上記可動支持板１１０の平行揺動移動に伴って、その下方に延びるノズル先端部が上側押切型６２ａの取出口６４内の下端部と搬送コンベア８の搬送面８ａ上との間を、その姿勢を平行に維持されながら往復移動させられるようになっている。
【００３５】
次に、上述のように構成されたシート状物品の押切装置２の作動について説明する。図３Ａ〜図３Ｃはシート状物品ｗの切断から移載までの１サイクルの動作状態を経時的に示した概略図であり、図３Ａはその前期工程を、図３Ｂはその中期工程を、図３Ｃはその後期工程をそれぞれ示している。ここで、図３Ａ〜図３Ｃにおける［Ｉ］〜［VI］の各図に示してある（ｂ）は、（ａ）中に図示されている押切型６２部分の拡大図である。
【００３６】
即ち、図３Ａの［Ｉ］，［II］は、移載手段１０の吸引ノズル１０２がシート状物品ｗの移載先である搬送コンベア８上から移載元である上側押切型６２ａ  の取出口６４内に向けて復帰中の状態を示している。この復帰中には、下側押切型６２ｂは上側押切型６２ａから離間して下方に降下しており、押切型６２は開いている。そして、この押切型６２が開いている間に、供給コンベア１４及び廃材の巻取リールが間欠作動されて、未切断の被切断シート４が所定の送り長だけ繰り出されて押切型６２内に供給されるとともに、当該押切型６２でシート状物品ｗが切断されて抜き取られた後の廃材となった被切断シート４は巻取リールに巻回されて回収される。なお、［II］は被切断シート４の供給が停止した直後の状態であり、この時点では吸引ノズル１０２は上側押切型６２ａの取出口６４の上部内に挿入され始めており、また下側押切型６２ｂは既に閉作動を開始されていて上昇し始めている。
【００３７】
図３Ｂの［III］，［IV］は、それぞれシート状物品ｗの切断時とリフトアップピンの上昇時とを示している。即ち、［III］の時点では、下側押切型６２ｂはその上昇端に達してその上面が上側押切型６２ａの切断刃６３に当接し、押切型６２は閉じられた状態となる。これにより、上側押切型６２ａと下側押切型６２ｂとの間に挟まれている被切断シート４は切断刃６３によって押し切りされ、切断刃６３の内側に所望形状の切断シートが切り出される。この時、下側押切型６２ｂに組み込まれているリフトアップピン１７１はまだ上昇されずにいて、収納凹部６５内に格納されている。また、吸引ノズル１０２は、その下端部が上側押切型６２ａの取出口６４内でその下端の開口直近の下降端位置まで移動されてきており、かつ吸引ノズル１０２は吸引作動を開始している。そして、その直後の［IV］の時点でリフトアップピン１７１が上昇作動されて、切断済みのシート状物品ｗが上方に突き上げられて被切断シート４から離脱されるとともに、吸引ノズル１０２の下端に吸着保持される。爾後、移載手段１０の駆動モータ１１２が反転回転されて可動支持板１１０は図示する時計回転方向に揺動されていく。
【００３８】
ここで、切断されたシート状物品ｗを上記のようにしてリフトアップピン１７１で突き上げながら吸引ノズル１０２の下端に吸着させるようにすることで、被切断シート４からシート状物品ｗを切り出したその切断直後に、それらの切断面に露出する粘着剤同士が再度接着してしまっても、あるいは、シート状物品ｗの切断面に露出する粘着剤が切断刃６３に接着してしまっても、シート状物品ｗを確実に上方に離脱させることができて、吸引ノズル１０２で吸着保持するシート状物品ｗの保持姿勢や保持位置にズレを生じさせることを可及的に防止することができる。また、長尺な帯状の被切断シート４を供給手段１２のベルトコンベア１４で所定送り量ずつ間欠的に上下一対の押切型６２内に送り込み、当該送り動作が停止された状態で被切断シート４を上側押切型６２ａと下側押切型６２ｂとで挟んで、切断刃６の形状に相応した所望形状のシート状物品ｗを切り出していくので、裁断寸法誤差が生じにくく、また、裁断時に粘着剤が一方側にしごかれてその塗布量が不均一に偏在してしまうこともない。なお、吸引ノズル１０２の吸引力のみでも、保持姿勢や保持位置にズレを生じさせることなく確実に被切断シート４からシート状物品ｗを上方に離脱させ得れば、リフトアップピン１７１は省略しても良い。
【００３９】
図３Ｃの［Ｖ］，［VI］は、シート状物品ｗを搬送コンベア８上へと移載している状態を示している。上記のように駆動モータ１１２の反転作動により可動支持板１１０が図示する時計回転方向に揺動していくと、［Ｖ］に示すように、吸引ノズル１０２は上側押切型６２ａの取出口６４内を上昇していく。このとき、吸引ノズル１０２は円弧を描いて平行移動して行くことになるが、取出口６４の搬送コンベア８側の内壁面６４ａは傾斜形成されて上部側が漸次拡大されているので、シート状物品ｗが当該内壁面６４ａに干渉することはない。そして、この時点においては、リフトアップピン１７１は既にその下端まで下降作動されていて、上端部の拡径部１７１ａは下側押切型６２ｂの収納凹部６５に格納されており、また、下側押切型６２ｂも下降作動され始める。
【００４０】
そして、駆動モータ１１２が時計回り方向に所定角度まで回転されると、図３Ｃの［VI］に示すように、吸引ノズル１０２はその下端部が搬送コンベア８の搬送面８ａ上に極近接した位置まで平行移動されてくる。この時点で、下側押切型６２ｂは下降端位置まで下降されていて、押切型６２は完全に開放された状態になっており、また、吸引ノズル１０２の吸引作動は停止されて、その下端部に吸引保持されていたシート状物ｗが搬送コンベア８の搬送面８ａ上にその姿勢を保たれたまま移載される。
【００４１】
即ち、シート状物ｗは押切型６２で切断された時の姿勢を保たれたまま平行に移動されてきて搬送コンベア８の搬送面８ａ上に、その姿勢を平行に保たれたまま、位置ズレを生じることを可及的に防止されつつ移載されることになる。また、搬送コンベア８にも供給コンベア１４と同様に吸引式のものが用いられているので、移載されたシート状物ｗは搬送コンベア８の搬送面上８ａに開口されている多数の吸引口に吸着固定されながら下流の搬送終了端に向けて搬送されていくことになる。爾後、駆動モータ１１２は再度反転作動され、往復平行移動機構１０の可動支持板１１０が図示する反時計回りに揺動されて、吸引ノズル１０２は上側押切型６２ａの取出口６４に向けて移動されていき、図３Ａの状態に戻ってその１サイクル動作が終了する。
【００４２】
従って、以上のようにしてなる本実施形態のシート状物品の押切装置２にあっては、これを高速運転させてもシート状物品ｗを確実に所定の姿勢と位置に保って搬送コンベア８上に移載することができる。また、従来のような受け渡しドラムや上搬送ベルト、並びにロータリーダイカット装置等を用いないので、シート状物品の押切装置２自体の可及的な小型化も図れるようになる。
【００４３】
なお、この実施形態では、移載手段１０の往復平行移動機構１０４には、平行四辺形リンクを用いているが、本発明はこれに限定されることはない。即ち、吸引ノズル１０２を平行移動させ得るものであれば、どのような機構のものを採用しても良い。
【図面の簡単な説明】
【００４４】
【図１】本発明に係るシート状物品ｗの押切装置２の一例を示す平面図である。
【図２】図１中のII-II線部の矢視断面図である。
【図３Ａ】シート状物品ｗの切断から移載までの１サイクルの動作状態を経時的に示した図で、その前期工程を示している。
【図３Ｂ】同上、１サイクルの動作状態を経時的に示した図で、その中期半工程を示している。
【図３Ｃ】同上、１サイクルの動作状態を経時的に示した図で、その後期工程を示している。
【符号の説明】
【００４５】
ｗ  シート状物品
２  シート状物品の押切装置
４  被切断シート
６  押切手段
８  搬送コンベア
１０  移載手段
１２  供給手段
１４  ベルトコンベア
１６  フレーム
６２  押切型
６２ａ  上側押切型
６２ｂ  下側押切型
６３  切断刃
６４  取出口
６４ａ  内壁面
１０２  吸引ノズル
１０４  往復平行移動機構
１６５  昇降駆動機構
１７１  リフトアップピン
【図１】
0005238234.tif 000002
【図２】
0005238234.tif 000003
【図３Ａ】
0005238234.tif 000004
【図３Ｂ】
0005238234.tif 000005
【図３Ｃ】
0005238234.tif 000006